(57)【要約】【課題】病院や福祉施設のスタッフの作業動線を少なくして、作業時間の短縮に寄与することを可能にする汚物洗浄用具を提供する。【解決手段】汚物洗浄用具１は、汚物流し２の上に設置して用いられる汚物洗浄用具である。汚物洗浄用具１は、前後方向に沿って１つの谷部７を有するように谷折り形成された汚物洗浄用具本体８と、汚物洗浄用具本体８の左右両端に形成され、汚物流し２の開口周縁リブ５の上面に載置される載置部９ａ，９ｂと、を備えている。ここで、汚物洗浄用具本体８の谷部７は、丸みを帯びている。そして、当該汚物洗浄用具本体８の谷部７には、３つの排水孔１０ａ，１０ｂ，１０ｃが等間隔で形成されている。【選択図】図５
0003205314.tif 000002
【実用新案登録請求の範囲】
【請求項１】
汚物流しの上に設置して用いられる汚物洗浄用具であって、
前後方向に沿って１つの谷部を有するように谷折り形成された汚物洗浄用具本体と、  前記汚物洗浄用具本体の左右両端に形成され、前記汚物流しの開口周縁リブの上面に載置される載置部と、を備え、  前記汚物洗浄用具本体の前記谷部に排水孔が形成されていることを特徴とする汚物洗浄用具。
【請求項２】
前記汚物洗浄用具本体及び載置部が、１枚の略長方形状の平板を、前後方向に沿った直線を折り曲げ線として折り曲げ加工することによって形成されている、請求項１に記載の汚物洗浄用具。
【請求項３】
前記汚物洗浄用具本体の前後部にそれぞれ、前記谷部を跨いで、取っ手が設けられている、請求項１又は２に記載の汚物洗浄用具。
【考案の詳細な説明】
【技術分野】
【０００１】
本考案は、例えば病院の患者や福祉施設利用者等の衣類に付着した汚物を洗い落とす際に使用される汚物洗浄用具に関する。さらに詳細には、本考案は、汚物流しの上に設置して用いられる汚物洗浄用具に関する。
【背景技術】
【０００２】
従来、病院の患者や福祉施設利用者等の衣類に付着した汚物は、以下のように処理されていた。すなわち、病院や福祉施設のスタッフが、バケツにお湯又は水を溜め、汚物の付着した衣類を、その中で漬け置き洗いした後、バケツ内の汚水だけを「汚物流し」に流すようにされていた（「汚物流し」については特許文献１を参照）。
【先行技術文献】
【特許文献】
【０００３】
【特許文献１】特許第３６３５８３６号公報
【考案の概要】
【考案が解決しようとする課題】
【０００４】
しかし、上記のようなやり方では、スタッフの作業動線が多くて作業に時間が掛り、非効率であった。
【０００５】
本考案は、従来技術における前記課題を解決するためになされたものであり、病院や福祉施設のスタッフの作業動線を少なくして、作業時間の短縮に寄与することを可能にする汚物洗浄用具を提供することを目的とする。
【課題を解決するための手段】
【０００６】
前記目的を達成するため、本考案に係る汚物洗浄用具の構成は、
（１）汚物流しの上に設置して用いられる汚物洗浄用具であって、
前後方向に沿って１つの谷部を有するように谷折り形成された汚物洗浄用具本体と、  前記汚物洗浄用具本体の左右両端に形成され、前記汚物流しの開口周縁リブの上面に載置される載置部と、を備え、
前記汚物洗浄用具本体の前記谷部に排水孔が形成されていることを特徴とする。
【０００７】
本考案の汚物洗浄用具の上記（１）の構成によれば、左右の載置部を、汚物流しの開口周縁リブの左右の上面にそれぞれ載置するだけで、当該汚物洗浄用具を、汚物流しの上に簡単に設置することができる。そして、本考案の汚物洗浄用具を使用すれば、衣類に付着した汚物を洗い流す作業を、汚物流しの汚物流し本体内で一度に行うことができるので、病院や福祉施設のスタッフの作業動線を少なくして、作業時間を短縮することが可能となる。
【０００８】
本考案の汚物洗浄用具の上記（１）の構成においては、以下の（２），（３）のような構成にすることが好ましい。
【０００９】
（２）前記汚物洗浄用具本体及び載置部が、１枚の略長方形状の平板を、前後方向に沿った直線を折り曲げ線として折り曲げ加工することによって形成されている。
【００１０】
上記（２）の好ましい構成によれば、プレス成形等を用いて、汚物洗浄用具本体及び載置部を容易に形成することができる。
【００１１】
（３）前記汚物洗浄用具本体の前後部にそれぞれ、前記谷部を跨いで、取っ手が設けられている。
【００１２】
上記（３）の好ましい構成によれば、汚物洗浄用具本体の前後部の取っ手を、それぞれ右左の手で持って、汚物洗浄用具の左右の載置部を、汚物流しの開口周縁リブの左右の上面にそれぞれ載置することができる。すなわち、上記（３）の好ましい構成によれば、汚物洗浄用具を、汚物流しの上にさらに簡単に設置することが可能となる。また、このように、谷部を跨いで取っ手を設けることにより、汚物洗浄用具本体の谷折り形状をしっかりと保持することもできる。
【考案の効果】
【００１３】
本考案によれば、病院や福祉施設のスタッフの作業動線を少なくして、作業時間の短縮に寄与することを可能にする汚物洗浄用具を提供することができる。
【図面の簡単な説明】
【００１４】
【図１】図１は、本考案の一実施の形態における汚物洗浄用具の構成を示す斜視図である。
【図２】図２は、図１に示す汚物洗浄用具を右側斜め上方から見た図である。
【図３】図３は、図２に示す汚物洗浄用具を裏側から見た図である。
【図４】図４は、本考案の一実施の形態における汚物洗浄用具が設置される汚物流しの概略構成を示す斜視図である。
【図５】図５は、本考案の一実施の形態における汚物洗浄用具の、汚物流しへの設置の仕方を示す分解斜視図である。
【図６】図６は、本考案の一実施の形態における汚物洗浄用具の使用状態を示す斜視図である。
【図７】図７は、本考案の一実施の形態における汚物洗浄用具の構成の他の例を示す斜視図である。
【考案を実施するための形態】
【００１５】
以下、好適な実施の形態を用いて本考案をさらに具体的に説明する。但し、下記の実施の形態は本考案を具現化した例に過ぎず、本考案はこれに限定されるものではない。
【００１６】
［汚物洗浄用具の構成］
まず、本考案の一実施の形態における汚物洗浄用具の構成について、図１〜図６を参照しながら説明する。
【００１７】
図１は、本考案の一実施の形態における汚物洗浄用具の構成を示す斜視図、図２は、図１に示す汚物洗浄用具を右側斜め上方から見た図、図３は、図２に示す汚物洗浄用具を裏側から見た図、図４は、本考案の一実施の形態における汚物洗浄用具が設置される汚物流しの概略構成を示す斜視図、図５は、当該汚物洗浄用具の、汚物流しへの設置の仕方を示す分解斜視図、図６は、当該汚物洗浄用具の使用状態を示す斜視図である。
【００１８】
図１，図２，図５，図６に示すように、本実施の形態の汚物洗浄用具１は、汚物流し２の上に設置して用いられる汚物洗浄用具である。
図４，図５，図６に示すように、汚物流し２は、上端が略矩形状に開口した汚物流し本体３と、汚物流し本体３の上端開口の周縁に設けられた開口周縁リブ５と、汚物流し本体３の内部底面に設けられた排出口６と、を備えている。ここで、汚物流し本体３及び開口周縁リブ５は、陶器によって形成されている。
図１，図２，図５，図６に示すように、汚物洗浄用具１は、前後方向に沿って１つの谷部７を有するように谷折り形成された汚物洗浄用具本体８と、汚物洗浄用具本体８の左右両端に形成され、汚物流し２の開口周縁リブ５の上面に載置される載置部９ａ，９ｂと、を備えている。ここで、汚物洗浄用具本体８の谷部７は、丸みを帯びている。そして、当該汚物洗浄用具本体８の谷部７には、３つの排水孔１０ａ，１０ｂ，１０ｃが等間隔で形成されている。
【００１９】
本実施の形態の汚物洗浄用具１の構成によれば、左右の載置部９ａ，９ｂを、汚物流し２の開口周縁リブ５の左右の上面にそれぞれ載置するだけで、当該汚物洗浄用具１を、汚物流し２の上に簡単に設置することができる。そして、本実施の形態の汚物洗浄用具１を使用すれば、衣類に付着した汚物を洗い流す作業を、汚物流し２の汚物流し本体３内で一度に行うことができるので、病院や福祉施設のスタッフの作業動線を少なくして、作業時間を短縮することが可能となる。
【００２０】
より具体的には、汚物洗浄用具本体８及び載置部９ａ，９ｂは、１枚の略長方形状のステンレス鋼製平板（約３０ｃｍ×約６０ｃｍ×約１．５ｍｍ）を、前後方向に沿った直線を折り曲げ線として折り曲げ加工することによって形成されている。汚物洗浄用具本体８は、前後方向に沿って１つの谷部７を有するように約１０５°の角度で谷折り形成されており、谷部７を挟んで左側部分の長さが約１４ｃｍ、右側部分の長さが約３６ｃｍに設定されている。左側の載置部９ａは、約３０ｃｍ×約５．５ｃｍの長方形状に形成されており、汚物洗浄用具本体８の左側部分とのなす角度は約１２５°に設定されている。右側の載置部９ｂは、約３０ｃｍ×約４．５ｃｍの長方形状に形成されており、汚物洗浄用具本体８の右側部分とのなす角度は約１６０°に設定されている。また、排水孔１０ａ，１０ｂ，１０ｃは、約２．５ｃｍ径の円孔であり、約６ｃｍ間隔で形成されている。
かかる構成によれば、プレス成形等を用いて、汚物洗浄用具本体８及び載置部９ａ，９ｂを容易に形成することができる。
【００２１】
図１，図２に示すように、汚物洗浄用具本体８の前後部には、谷部７を跨いで、取っ手１１ａ，１１ｂがそれぞれ設けられている。
かかる構成によれば、当該前後部の取っ手１１ａ，１１ｂを、それぞれ右左の手で持って、汚物洗浄用具１の左右の載置部９ａ，９ｂを、汚物流し２の開口周縁リブ５の左右の上面にそれぞれ載置することができる。すなわち、かかる構成によれば、汚物洗浄用具１を、汚物流し２の上にさらに簡単に設置することが可能となる。尚、谷部７を跨いで設けられた取っ手１１ａ，１１ｂは、汚物洗浄用具本体８の谷折り形状をしっかりと保持する役割をも有する。
【００２２】
より具体的には、取っ手１１ａ，１１ｂは、それぞれ、上下２本の湾曲したステンレス鋼製の棒状部材からなり、各棒状部材の両端面は汚物洗浄用具本体８の表面に溶接されている。各棒状部材の直径は約６ｍｍであり、上側の棒状部材の長さは約３０ｃｍ、下側の棒状部材の長さは約１０ｃｍである。
また、この場合、各棒状部材は、汚物洗浄用具本体８の前後の外方に突出するように湾曲している。これにより、汚物の付着した衣類の洗浄スペースを広くとることが可能となるので、病院や福祉施設のスタッフの作業効率を向上させることができる。また、このように、取っ手１１ａ，１１ｂとなる各棒状部材が汚物洗浄用具本体８の前後の外方に突出するように湾曲していることにより、汚物洗浄用具本体８の上で洗浄作業を行うスタッフに圧迫感を与えることもない。
【００２３】
上記のように、汚物流し本体３及び開口周縁リブ５（汚物流し２）は、陶器によって形成されており、汚物洗浄用具本体８及び載置部９ａ，９ｂ（汚物洗浄用具１）は、ステンレス鋼によって形成されている。従って、このままでは、汚物流し２の上に汚物洗浄用具１を設置し、当該汚物洗浄用具１の上で洗浄作業を行った場合に、汚物洗浄用具１によって汚物流し２を傷付けてしまう虞がある。
そこで、本実施の形態の汚物洗浄用具１においては、汚物流し２が傷付くことを避けるために、以下のような工夫がなされている。
すなわち、図３に示すように、左側の載置部９ａの裏面には、前後方向に沿って３つの緩衝材１２ａ，１２ｂ，１２ｃが等間隔で貼着されている。また、汚物洗浄用具本体８の左側部分の裏面には、左側の載置部９ａの近傍の前後方向の端部に２つの緩衝材１２ｄ，１２ｅが貼着されている。また、右側の載置部９ｂの裏面には、前後方向に沿って３つの緩衝材１２ｆ，１２ｇ，１２ｈが等間隔で貼着されている。これにより、汚物流し２の上に汚物洗浄用具１を設置したときに、汚物洗浄用具１自体が汚物流し２に直接触れることはないので、汚物洗浄用具１によって汚物流し２を傷付けてしまう虞はない。また、緩衝材１２ａ〜１２ｈと汚物流し２の開口周縁リブ５との摩擦により、汚物洗浄用具１が動かず、左右にぶれることもないので、洗浄作業がしやすくなる。
【００２４】
より具体的には、緩衝材１２ａ〜１２ｈは、ゴム等からなり、直径約２ｃｍ，厚み約２ｍｍの円盤状に形成されている。そして、緩衝材１２ａ，１２ｂ，１２ｃは、接着剤によって約８ｃｍ間隔で貼着されている。また、緩衝材１２ｄ，１２ｅは、接着剤によって汚物洗浄用具本体８の前後方向の端部に貼着されている。また、緩衝材１２ｆ，１２ｇ，１２ｈは、接着剤によって約１０．５ｃｍ間隔で貼着されている。
【００２５】
［汚物洗浄用具の使用方法］
次に、本実施の形態の汚物洗浄用具の使用方法について説明する。
【００２６】
まず、図５に示すように、汚物洗浄用具本体８の前後部の取っ手１１ａ，１１ｂを、それぞれ右左の手で持って、汚物洗浄用具１の左右の載置部９ａ，９ｂを、汚物流し２の開口周縁リブ５の左右の上面にそれぞれ載置する（矢印Ａ，Ｂを参照）。これにより、汚物洗浄用具１は、図６に示すように、谷部７が一番低い位置に位置した状態で汚物流し２の上に設置される。
【００２７】
次いで、汚物洗浄用具１の汚物洗浄用具本体８の上に、汚物の付着した衣類を広げる。そして、シャワーヘッドや水道の蛇口から当該衣類にお湯や水を掛けながら、汚物の付着した箇所をブラシ等でブラッシングする。これにより、衣類に付着していた汚物が掻き取られ、掻き取られた汚物は、お湯や水と一緒に汚物洗浄用具本体８の谷部７の排水孔１０ａ，１０ｂ，１０ｃから汚物流し本体３の内部底面に流れ落ちる。お湯や水と一緒に汚物流し本体３の内部底面に流れ落ちた汚物（汚水物）は、排水レバーの操作によって汚物流し２の排出口６から排出される。
この場合、汚物洗浄用具本体８が、前後方向に沿って１つの谷部７を有するように谷折り形成され、汚物洗浄用具１は、谷部７が一番低い位置に位置した状態で汚物流し２の上に設置されているので、掻き取られた汚物を、お湯や水と一緒に谷部７の排水孔１０ａ，１０ｂ，１０ｃからスムーズに流し落とすことができる。
そして、本実施の形態の汚物洗浄用具１を使用すれば、以上のように、衣類に付着した汚物を洗い流す作業を、汚物流し２の汚物流し本体３内で一度に行うことができるので、病院や福祉施設のスタッフの作業動線を少なくして、作業時間を短縮することが可能となる。
【００２８】
尚、本実施の形態においては、１枚の略長方形状の平板を、前後方向に沿った直線を折り曲げ線として折り曲げ加工することによって汚物洗浄用具本体８及び載置部９ａ，９ｂが形成された汚物洗浄用具１を例に挙げて説明したが、本考案は必ずしもこのような構成に限定されるものではない。例えば、上端が円形状や楕円形状等に開口した汚物流しに対応させるべく、載置部を円弧状の平板によって形成し、汚物洗浄用具本体の載置部側部分を、載置部の形状に合うように湾曲させて形成してもよい。
【００２９】
また、本実施の形態においては、汚物洗浄用具本体８の谷部７に３つの排水孔１０ａ，１０ｂ，１０ｃが形成されている場合を例に挙げて説明したが、本考案は必ずしもこのような構成に限定されるものではない。排水孔の数は、１つでも２つでも４つ以上であってもよい。
また、本実施の形態においては、排水孔が約２．５ｃｍ径の円孔である場合を例に挙げて説明したが、本考案は必ずしもこのような構成に限定されるものではない。排水孔は、汚水物がスムーズに流れ落ちる程度の大きさであればよく、その形状は任意である。
【００３０】
また、本実施の形態においては、汚物洗浄用具本体８の前後部にそれぞれ、谷部７を跨いで、取っ手１１ａ，１１ｂが設けられている場合を例に挙げて説明したが、本考案は必ずしもこのような構成に限定されるものではない。取っ手を設けることは任意であり、例えば左右の載置部９ａ，９ｂ等を、それぞれ左右の手で持って、汚物洗浄用具１を汚物流し２の上に設置するようにしてもよい。
また、本実施の形態においては、汚物洗浄用具本体８の前後部に、それぞれ、上下２本の湾曲した棒状部材からなる取っ手１１ａ，１１ｂが設けられている場合を例に挙げて説明したが、本考案は必ずしもこのような構成に限定されるものではない。取っ手は、汚物洗浄用具本体の前後部にそれぞれ、谷部を跨いで設けられていればよく、例えば図７に示すように、長尺状の板状部材からなる取っ手１３ａ，１３ｂを設けるようにしてもよい。
【符号の説明】
【００３１】
１  汚物洗浄用具
２  汚物流し
３  汚物流し本体
５  開口周縁リブ
６  排出口
７  谷部
８  汚物洗浄用具本体
９ａ，９ｂ  載置部
１０ａ，１０ｂ，１０ｃ  排水孔
１１ａ，１１ｂ，１３ａ，１３ｂ  取っ手
１２ａ，１２ｂ，１２ｃ，１２ｄ，１２ｅ，１２ｆ，１２ｇ，１２ｈ  緩衝材
【図１】
0003205314.tif 000003
【図２】
0003205314.tif 000004
【図３】
0003205314.tif 000005
【図４】
0003205314.tif 000006
【図５】
0003205314.tif 000007
【図６】
0003205314.tif 000008
【図７】
0003205314.tif 000009